(57)【要約】【課題】色再現範囲を拡大すると共に、輝度の向上を図ることのできる電気光学装置を提供する。【解決手段】電気光学装置は、例えば、液晶表示装置であり、液晶表示パネルと、照明装置とを備える。照明装置は、液晶表示パネルを、光を透過させることにより照明する。液晶表示パネルは、１つの表示画素が、赤（Ｒ）、緑（Ｇ）、青（Ｂ）、シアン（Ｃ）、透明（Ｗ）の５つのサブ画素より構成される。Ｃのサブ画素を用いることにより、色再現範囲の拡張と、人間の視感度が高いＧの色の光の輝度の低下の抑制とを図ると共に、Ｗのサブ画素を用いることにより、１つの表示画素における分割数の増加による表示画面全体の輝度の低下を抑えることができる。【選択図】図１
2007102140.tif 000002
【特許請求の範囲】
【請求項１】
１つの表示画素が、赤（Ｒ）、緑（Ｇ）、青（Ｂ）、シアン（Ｃ）、白色（Ｗ）の５つ
のサブ画素から構成される液晶表示パネルと、
前記液晶表示パネルを、光を透過させることにより照明する照明装置と、を備えること
を特徴とする電気光学装置。
【請求項２】
１つの表示画素が、波長に応じて色相が変化する可視光領域のうち、青系の色相の着色
領域、赤系の色相の着色領域、青から黄までの色相の中で選択された２種の色相の着色領
域を有する４つのサブ画素と、白色領域を有するサブ画素との５つのサブ画素から構成さ
れる表示パネルと、
前記表示パネルを、光を透過させることにより照明する照明装置と、を備えることを特
徴とする電気光学装置。
【請求項３】
前記青から黄までの色相の中で選択された２種の色相の着色領域の一方の着色領域は、
青から緑の色相であることを特徴とする請求項２に記載の電気光学装置。
【請求項４】
前記青から黄までの色相の中で選択された２種の色相の着色領域の他方の着色領域は、
緑から橙の色相であることを特徴とする請求項２に記載の電気光学装置。
【請求項５】
１つの表示画素の透過光の波長のピークが、４１５〜５００ｎｍの範囲にある第１着色
領域と、６００ｎｍ以上にある第２着色領域と、４８５〜５３５ｎｍの範囲にある第３着
色領域と、５００〜５９０ｎｍの範囲にある第４着色領域と、白色領域の５つのサブ画素
から構成される表示パネルと、
前記表示パネルを、光を透過させることにより照明する照明装置と、を備えることを特
徴とする電気光学装置。
【請求項６】
前記第３着色領域の透過光の波長のピークが４９５〜５２０ｎｍの範囲にあることを特
徴とする請求項５に記載の電気光学装置。
【請求項７】
前記第４着色領域の透過光の波長のピークが５１０〜５８５ｎｍの範囲にあることを特
徴とする請求項５に記載の電気光学装置。
【請求項８】
入力されたＲＧＢの画像信号を、ＲＧＢＣの画像信号に変換して前記液晶表示パネルに
出力する表示画像変換回路を更に備えることを特徴とする請求項１乃至７のいずれか一項
に記載の電気光学装置。
【請求項９】
前記表示画像変換回路は、前記ＲＧＢの画像信号より輝度信号を算出し、前記輝度信号
を基にＷの画像信号を決定して、前記液晶表示パネルへ出力することを特徴とする請求項
８に記載の電気光学装置。
【請求項１０】
前記表示画像変換回路は、前記輝度信号を基に前記照明装置の輝度を決定して、前記照
明装置の輝度を調整することを特徴とする請求項８又は９に記載の電気光学装置。
【請求項１１】
請求項１乃至１０のいずれか一項に記載の電気光学装置を表示部に備えることを特徴と
する電子機器。
【発明の詳細な説明】
【技術分野】
【０００１】
本発明は、各種情報の表示に用いて好適な電気光学装置に関する。
【背景技術】
【０００２】
液晶表示装置に代表される電気光学装置は、白色光を出光する照明装置と、赤（Ｒ）、
緑（Ｇ）、青（Ｂ）の３色のカラーフィルタとによりカラー表示を行っている。この電気
光学装置により表現可能な色再現範囲は、色度図上のＲＧＢの３色のカラーフィルタによ
り規定される色三角形の範囲内に限定される。一般的に、この色三角形により規定される
色再現範囲ではシアン系色の彩度が低く、十分な色再現性を得ることができない。下記の
特許文献１及び２に示す液晶表示装置では、１つの表示画素を４つ又は６つのサブ画素に
分割し、ＲＧＢ以外の色、例えばシアン（Ｃ）などの色のカラーフィルタを有するサブ画
素を設けている。
【０００３】
また、最近では、１つの表示画素において、Ｒ、Ｇ、Ｂの３色に加え、さらに透明（Ｗ
）のサブ画素を加えた液晶表示装置が提案されている。下記の特許文献３に示す液晶表示
装置は、Ｗのサブ画素を用いることにより表示画面の輝度を向上させている。
【０００４】
【特許文献１】特開２００１−３０６０２３号公報
【特許文献２】特開２００２−２８６９２７号公報
【特許文献３】特開２００３−２９５８１２号公報
【発明の開示】
【発明が解決しようとする課題】
【０００５】
しかしながら、特許文献１及び２に示す液晶表示装置では、１つの表示画素を、ＲＧＢ
の３つのサブ画素から４つ又は６つのサブ画素に分割しているため、一般的なＲＧＢのカ
ラーフィルタのみを備える液晶表示装置と比較して、１つのサブ画素における開口率が低
下するため、光の透過率が低下してしまい、表示画面の輝度も低下してしまう。また、特
許文献３に示す液晶表示装置では、Ｗのサブ画素を追加することにより表示画面の輝度は
向上するが、色再現範囲はＲＧＢの３色のカラーフィルタにより規定される色三角形の範
囲内に限定されたままとなる。
【０００６】
本発明は上記の点に鑑みてなされたものであり、色再現範囲を拡大すると共に、輝度の
向上を図ることのできる電気光学装置を提供することを課題とする。
【課題を解決するための手段】
【０００７】
本発明の１つの観点では、電気光学装置は、１つの表示画素が、赤（Ｒ）、緑（Ｇ）、
青（Ｂ）、シアン（Ｃ）、透明（Ｗ）の５つのサブ画素から構成される液晶表示パネルと
、前記液晶表示パネルを、光を透過させることにより照明する照明装置と、を備える。
【０００８】
本発明の他の観点では、電気光学装置は、１つの表示画素が、波長に応じて色相が変化
する可視光領域のうち、青系の色相の着色領域、赤系の色相の着色領域、青から黄までの
色相の中で選択された２種の色相の着色領域を有する４つのサブ画素と、白色領域を有す
るサブ画素との５つのサブ画素から構成される表示パネルと、前記表示パネルを、光を透
過させることにより照明する照明装置と、を備える。
【０００９】
上記の電気光学装置の一態様は、前記青から黄までの色相の中で選択された２種の色相
の着色領域の一方の着色領域は、青から緑の色相である。
上記の電気光学装置の他の一態様は、前記青から黄までの色相の中で選択された２種の
色相の着色領域の他方の着色領域は、緑から橙の色相である。
【００１０】
本発明のさらなる他の観点では、電気光学装置は、１つの表示画素の透過光の波長のピ
ークが、４１５〜５００ｎｍの範囲にある第１着色領域と、６００ｎｍ以上にある第２着
色領域と、４８５〜５３５ｎｍの範囲にある第３着色領域と、５００〜５９０ｎｍの範囲
にある第４着色領域と、白色領域の５つのサブ画素から構成される表示パネルと、前記表
示パネルを、光を透過させることにより照明する照明装置と、を備える。
【００１１】
上記の電気光学装置の一態様は、前記第３着色領域の透過光の波長のピークが４９５〜
５２０ｎｍの範囲にある。
上記の電気光学装置の他の一態様は、前記第４着色領域の透過光の波長のピークが５１
０〜５８５ｎｍの範囲にある。
【００１２】
本発明のさらなる他の観点では、上記の電気光学装置は、例えば、液晶表示装置であり
、液晶表示パネルと、照明装置とを備える。前記照明装置は、例えばＬＥＤなどの光源を
有し、光を透過させることにより前記液晶表示パネルを照明する。前記液晶表示パネルは
、１つの表示画素が、赤（Ｒ）、緑（Ｇ）、青（Ｂ）、シアン（Ｃ）、透明（Ｗ）の５つ
のサブ画素より構成される。Ｃのサブ画素を用いることにより、色再現範囲の拡張と、人
間の視感度が高いＧの色の光の輝度の低下の抑制とを図ると共に、Ｗのサブ画素を用いる
ことにより、１つの表示画素における分割数の増加による表示画面全体の輝度の低下を抑
えることができる。
【００１３】
本発明のさらなる他の観点では、上記の電気光学装置は、表示パネルと、照明装置とを
備える。前記照明装置は、例えばＬＥＤなどの光源を有し、光を透過させることにより前
記表示パネルを照明する。前記表示パネルは、１つの表示画素が、波長に応じて色相が変
化する可視光領域のうち、青系の色相の着色領域、赤系の色相の着色領域、青から黄まで
の色相の中で選択された２種の色相の着色領域を有する４つのサブ画素と、白色領域を有
するサブ画素との５つのサブ画素から構成される。この５つのサブ画素を用いることによ
り、色再現範囲の拡張と、光の輝度の低下の抑制とを図ると共に、白色領域のサブ画素を
用いることにより、１つの表示画素における分割数の増加による表示画面全体の輝度の低
下を抑えることができる。
【００１４】
上記の電気光学装置の一態様は、入力されたＲＧＢの画像信号を、ＲＧＢＣの画像信号
に変換して前記液晶表示パネルに出力する表示画像変換回路を更に備える。このようにす
ることで、入力画像の画像信号として、ＲＧＢの画像信号が入力された場合においても、
出力画像の色再現範囲をシアン系色の色再現範囲に拡大することができる。
【００１５】
上記の電気光学装置の他の一態様は、前記表示画像変換回路は、前記ＲＧＢの画像信号
より輝度信号を算出し、前記輝度信号を基にＷの画像信号を決定して、前記液晶表示パネ
ルへ出力する。具体的には、表示画像変換回路は、入力されたＲＧＢの画像信号に対応す
るＲＧＢＣの画像信号を、ＬＵＴ（Look Up Table）より求め、液晶表示パネルへ出力す
る。このようにすることで、出力画像の色純度の向上を図ることができる。
【００１６】
上記の電気光学装置の他の一態様は、前記表示画像変換回路は、前記輝度信号を基に前
記照明装置の輝度を決定して、前記照明装置の輝度を調整する。このようにすることで、
表示画面のコントラストを向上させることができる。
【００１７】
本発明のさらなる他の観点では、上記の電気光学装置を表示部に備えることを特徴とす
る電子機器を構成することができる。
【発明を実施するための最良の形態】
【００１８】
以下、図面を参照して本発明を実施するための最良の形態について説明する。
【００１９】
［第１実施形態］
まず、図１及び図２を参照して、第１実施形態に係る液晶表示装置１００の構成につい
て説明する。
【００２０】
図１は、第１実施形態に係る液晶表示装置１００の概略構成を模式的に示す平面図であ
る。図１では、紙面手前側（観察側）にカラーフィルタ基板９２が、また、紙面奥側に素
子基板９１が夫々配置されている。なお、図１では、紙面縦方向（列方向）をＹ方向と、
また、紙面横方向（行方向）をＸ方向と規定する。また、図１において、Ｒ（赤）、Ｇ（
緑）、Ｂ（青）、Ｃ（シアン）、Ｗ（透明または白色）に対応する各領域は１つのサブ画
素ＳＧを示していると共に、ＲＧＢＣＷに対応する１行５列のサブ画素ＳＧは、１つの表
示画素ＡＧを示している。
【００２１】
図２は、液晶表示装置１００における切断線Ａ−Ａ´に沿った１つの表示画素ＡＧの拡
大断面図である。図２に示すように、液晶表示装置１００は、液晶表示パネル３０と、照
明装置１０より構成される。液晶表示パネル３０は、素子基板９１と、その素子基板９１
に対向して配置されるカラーフィルタ基板９２とが枠状のシール材５を介して貼り合わさ
れ、そのシール材５の内側に液晶が封入されて液晶層４が形成されてなる。液晶表示パネ
ル３０の素子基板９１の外面上には、液晶表示パネル３０を照明する照明装置１０が備え
られる。
【００２２】
第１実施形態に係る液晶表示装置１００は、ＲＧＢＣＷの５色を用いて構成されるカラ
ー表示用の液晶表示装置であると共に、スイッチング素子としてα−Ｓｉ型ＴＦＴ（Thin
Film Transistor）素子を用いたアクティブマトリクス駆動方式の液晶表示装置である。
【００２３】
素子基板９１の平面構成について説明する。素子基板９１の内面上には、主として、複
数のソース線３２、複数のゲート線３３、複数のα−Ｓｉ型ＴＦＴ素子３７、複数の画素
電極３４、ドライバＩＣ４０、外部接続用配線３５及びＦＰＣ（Flexible Printed Circu
it）４１などが形成若しくは実装されている。
【００２４】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００２５】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはα−
ＴＦＴ素子３７が設けられており、各α−ＴＦＴ素子３７は各ソース線３２、各ゲート線
３３及び各画素電極３４等に電気的に接続されている。各α−ＴＦＴ素子３７及び各画素
電極３４は、ガラスなどの基板１上の各サブ画素ＳＧに対応する位置に設けられている。
各画素電極３４は、例えばＩＴＯ（Indium-Tin Oxide）などの透明導電材料により形成
されている。
【００２６】
１つの表示画素ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。つまり、この有効表示領域Ｖが、液晶表示装置１００に
おける表示画面の領域を示している。なお、有効表示領域Ｖの外側の領域は表示に寄与し
ない額縁領域３８となっている。また、各ソース線３２、各ゲート線３３、各α−ＴＦＴ
素子３７、及び各画素電極３４等の内面上には、図示しない配向膜が形成されている。
【００２７】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、Ｒ、Ｇ、Ｂ、Ｃの着色層６Ｒ、６Ｇ
、６Ｂ、６Ｃと、Ｗの透明又は白色部６Ｗ及び共通電極８などを有する。なお、透明又は
白色部６Ｗは、例えば透明樹脂によって形成された層、もしくは何も設けない層とされ、
照明装置１０からの光Ｌをそのまま、無着色で透過する。ＢＭは、各サブ画素ＳＧを区画
する位置に形成されている。図２では、各色のサブ画素ＳＧについて、対応する色をカッ
コ付きで示している。
なお、以下の説明もしくは図面において、ＲＧＢＣの色を特定することなく構成要素を
示す場合には、単に「着色層６」のように記し、ＲＧＢＣの色を区別して構成要素を示す
場合には、例えば「着色層６Ｒ」のように記すこととする。
この着色層６Ｒ、６Ｇ、６Ｂ、６Ｃと、透明又は白色部６Ｗがカラーフィルタを構成す
る。共通電極８は、画素電極と同様にＩＴＯなどの透明導電材料からなり、カラーフィル
タ基板９２の略一面に亘って形成されている。共通電極８は、シール材５の隅の領域Ｅ１
において配線３６の一端側と電気的に接続されていると共に、当該配線３６の他端側は、
ドライバＩＣ４０のＣＯＭに対応する出力端子と電気的に接続されている。
【００２８】
次に、照明装置１０について説明する。照明装置１０は、導光板１１と光源部１２より
構成される。光源部１２は、光源として複数のＬＥＤ１３を有している。複数のＬＥＤ１
３としては、青色ＬＥＤからの青色光でＹＡＧ（イットリウム・アルミニウム・ガーネッ
ト）系蛍光体を励起し、それによって白色光を照射するシングルチップ方式の白色ＬＥＤ
を配列したものを用いても良いし、又は、ＲＧＢの夫々の色のＬＥＤを揃えて同時に発光
および混光することによって白色光を出光するマルチチップ方式のものを用いても良い。
複数のＬＥＤ１３より出光した白色光は、光源部１２より光Ｌとして、導光板１１の端
面（以下、「入光端面」と称す）１１ｃに向けて出光する。
【００２９】
光源部１２より出光した光Ｌは、導光板１１の入光端面１１ｃより導光板１１内へ入り
、導光板１１の出光面１１ａ、反射面１１ｂで反射を繰り返すことにより方向を変え、導
光板１１の出光面１１ａと光Ｌのなす角が臨界角を超えると、導光板１１の出光面１１ａ
から照明光Ｌとして図示しない光学シートを介して液晶表示パネル３０へ向けて夫々出光
する。液晶表示装置１００は、光Ｌが液晶表示パネル３０を透過することによって照明さ
れる。これにより、液晶表示装置１００は、文字、数字、図形等の画像を表示することが
でき、観測者が画像を視認することができる。
【００３０】
なお、照明装置１０は、光源部１２の光源としてＬＥＤ１３を有する場合で説明したが
、RGBの光源であればこれに限定されない。ＬＥＤの他に、例えば、蛍光管、有機EL、白
色光源を用いても良い。
また、RGB光源としては、以下のものが好ましい。
（１）Bは波長のピークが４３５ｎｍ〜４８５ｎｍ範囲にあるもの。
（２）Gは波長のピークが５２０ｎｍ〜５４５ｎｍ範囲にあるもの。
（３）Rは波長のピークが６１０ｎｍ〜６５０ｎｍ範囲にあるもの。
そして、RGB光源の波長によって、上記カラーフィルタを適切に選定すればより広範囲
の色再現性を得ることができる。また、波長が例えば、４５０ｎｍと５６５ｎｍにピーク
がくるような、複数のピークを持つ光源を用いていも良い。
【００３１】
液晶表示装置１００では、電子機器のメイン基板等と接続されたＦＰＣ４１側からの信
号及び電力等に基づき、ドライバＩＣ４０によって、Ｇ１、Ｇ２、・・・、Ｇｍ−１、Ｇ
ｍ（ｍは自然数）の順にゲート線３３が順次排他的に１本ずつ選択されるとともに、選択
されたゲート線３３には、選択電圧のゲート信号が供給される一方、他の非選択のゲート
線３３には、非選択電圧のゲート信号が供給される。そして、ドライバＩＣ４０は、選択
されたゲート線３３に対応する位置にある画素電極３４に対し、表示内容に応じたソース
信号を、それぞれ対応するＳ１、Ｓ２、・・・、Ｓｎ−１、Ｓｎ（ｎは自然数）のソース
線３２及びα−ＴＦＴ素子３７を介して供給する。その結果、液晶層４の配向状態が制御
され、液晶表示装置１００の表示状態が、非表示状態または中間表示状態に切り替えられ
ることとなる。
【００３２】
なお、液晶表示装置１００は、完全透過型の液晶表示装置として示しているが、これに
限られず、代わりに半透過反射型の液晶表示装置を用いるとすることもできる。図３に半
透過反射型の液晶表示装置におけるサブ画素ＳＧの構成を示す。この場合、サブ画素ＳＧ
毎の画素電極３４上に光を反射する反射層４４が設けられる。この態様の例としては、図
３（ａ）に示すように、開口部４２を有するように反射層４４が形成される。この開口部
４２が、照明装置１０からの光Ｌを透過する透過領域となる。又は、図３（ｂ）に示すよ
うに、サブ画素ＳＧを２つの領域に分け、一方のみに反射層４４を形成し、他方には反射
層４４を形成しないこととしてもよい。この場合、反射層４４を形成しない領域４３が、
照明装置１０からの光Ｌを透過する透過領域となる。
【００３３】
さらに、図１に示すように、スイッチング素子としては、α−ＴＦＴ素子３７を用いる
としているが、これに限られず、代わりにポリシリコンＴＦＴやＴＦＤ（Thin Film Diod
e）素子を用いるとすることもできる。
【００３４】
（スペクトル分布と色度図）
図４に、第１実施形態に係る液晶表示装置１００における着色層６の透過率と光の波長
の関係を示す。横軸は光の波長[ｎｍ]を、縦軸は着色層の透過率を夫々示す。
【００３５】
図４において、グラフ３０１Ｒ、３０１Ｇ、３０１Ｂ、３０１Ｃは、夫々ＲＧＢＣの着
色層６Ｒ、６Ｇ、６Ｂ、６Ｃの透過率を示す。ＲＧＢＣの夫々の着色層６の透過率は、グ
ラフ３０１Ｒ、３０１Ｇ、３０１Ｂ、３０１Ｃより分かるように、それぞれＲＧＢＣの各
色の波長の範囲で透過率が最も高くなる性質を有している。よって、第１実施形態に係る
液晶表示装置では、ＲＧＢＣの各色を表示する場合、各色の着色層が各色の波長の範囲に
ある光のみを透過することにより、カラー表示を行うことができる。ここで、グラフ３０
１Ｃを見ると、グラフ３０１Ｇと重なっている領域３５０を有することが分かる。つまり
、Ｃの色の着色層６ＣとＧの色の着色層６Ｇとでは、透過波長領域が重なる部分を有する
。
【００３６】
図５に第１実施形態に係る液晶表示装置による色再現範囲を国際照明委員会（ＣＩＥ）
の色度図（ｘｙ色度図）で示す。図５において、色再現範囲４０１は、人間の目の波長感
度特性による色再現範囲であり、人間が見分けることのできる色再現範囲を示している。
三角形の破線で示した色再現範囲４０２は、一般的なＲＧＢの３色のみからなる着色層を
有する液晶表示装置により達成される色再現範囲である。一方、四角形の実線で示した色
再現範囲４５１は、第１実施形態に係る液晶表示装置１００により達成される色再現範囲
である。なお、色再現範囲４１１は、シアン系色の色再現範囲を示している。
【００３７】
図５において、シアン系色の色再現範囲が色再現範囲４１１となることから分かるよう
に、一般的なＲＧＢの３色のみからなる着色層を有する液晶表示装置では、色再現範囲が
４０２となるので、シアン系色を表示するのが困難であった。一方、第１実施形態に係る
液晶表示装置により達成される色再現範囲４５１は、色再現範囲４０２と較べて、色再現
範囲は拡大しており、特にシアン系色の再現範囲４１１に張り出すような形状をしている
。即ち、第１実施形態に係る液晶表示装置によって、色再現範囲を拡大すること、特にシ
アン系色の色再現範囲を拡大することが可能となる。
【００３８】
一般的なＲＧＢの３色のみからなる着色層を有する液晶表示装置と比較すると、第１実
施形態に係る液晶表示装置では、１つの表示画素に、ＲＧＢのサブ画素ＳＧに加えて、Ｃ
、Ｗのサブ画素ＳＧを有する構造となる。一般的なＲＧＢの３色のみからなる着色層を有
する液晶表示装置では、１つの表示画素は、ＲＧＢのサブ画素から構成されているので、
３分割されている。それに対し、第１実施形態に係る液晶表示装置では、１つの表示画素
は、ＲＧＢＣＷのサブ画素ＳＧから構成されるので、５分割されている。従って、第１実
施形態に係る液晶表示装置１００は、一般的なＲＧＢの３色のみからなる着色層を有する
液晶表示装置と比較して、表示画面全体から見ると、各サブ画素ＳＧを区画する位置に形
成されるＢＭが増えると共に、各サブ画素ＳＧにおける開口率も小さくなるため、光の透
過率が低下し、輝度も低下するように思われる。
【００３９】
しかしながら、第１実施形態に係る液晶表示装置では、先に述べたように、Ｃの色の着
色層６ＣとＧの色の着色層６Ｇとでは、透過波長領域が重なる部分を有する。この透過波
長領域が重なる部分の色の光は、着色層６Ｃと着色層６Ｇの両方を透過することができる
。言い換えれば、１つの表示画素が５分割されることにより、一般的なＲＧＢの３色のみ
からなる着色層を有する液晶表示装置におけるサブ画素の面積と比較して、１つのサブ画
素ＳＧにおける光の透過率が小さくなっても、この透過領域が重なる部分の色の光は、着
色層６Ｃを有するサブ画素ＳＧ、着色層６Ｇを有するサブ画素ＳＧの両方より出光するこ
とができる。Ｇの色の光は、人間の視感度が高い。従って、Ｃのサブ画素ＳＧを通してＧ
の色の一部の波長領域の光を出光することにより、人間の視感度が高いＧの色の光の輝度
の低下を抑えることができる。また、Ｇのサブ画素とＣのサブ画素との間にＲのサブ画素
が介在している。Ｇのサブ画素とＣのサブ画素が隣接すると緑っぽく表示されるが、これ
を低減することができる。
【００４０】
また、第１実施形態に係る液晶表示装置では、１つの表示画素が５分割されたとは言え
、その内の１つのサブ画素ＳＧは、Ｗのサブ画素ＳＧとなっている。Ｗのサブ画素ＳＧは
、透明又は白色部６Ｗを有しているので、照明装置１０より出光された光Ｌを透明又は白
色部６Ｗで吸収することなく、そのまま透過することができる。従って、Ｗのサブ画素Ｓ
Ｇを用いることにより、表示画素の輝度を向上させることができ、引いては表示画面全体
の輝度を向上させることができる。このことから分かるように、第１実施形態に係る液晶
表示装置では、１つの表示画素が５分割されることによって生じる表示画面全体の輝度の
低下を、光Ｌをそのまま透過することのできるＷのサブ画素ＳＧを用いることで抑えるこ
とができる。
【００４１】
以上をまとめると、第１実施形態に係る液晶表示装置１００は、一般的なＲＧＢの３色
のみからなる着色層を有する液晶表示装置と比較して、Ｃのサブ画素ＳＧを用いることに
より、色再現範囲の拡張と、人間の視感度が高いＧの色の光の輝度の低下の抑制とを図る
と共に、Ｗのサブ画素ＳＧを用いることにより、１つの表示画素における分割数の増加に
よる表示画面全体の輝度の低下を抑えることができる。
【００４２】
なお、以上に説明したＲ、Ｇ、Ｂ、Ｃに対応するカラーフィルタ基板９２の各着色層６
Ｒ、６Ｇ、６Ｂ、６Ｃは、着色層６Ｒ、６Ｇ、６Ｂ、６Ｃに替えて以下に示す４色の着色
領域で構成することができる。
【００４３】
４色の着色領域は、波長に応じて色相が変化する可視光領域（３８０−７８０ｎｍ）の
うち、青系の色相の着色領域と、赤系の色相の着色領域と、青から黄までの色相の中で選
択された２種の色相の着色領域からなる。ここで系と用いているが、例えば青系であれば
純粋の青の色相に限定されるものでなく、青紫や青緑等を含むものである。赤系の色相で
あれば、赤に限定されるものでなく橙を含む。また、これら着色領域は単一の着色層で構
成されても良いし、複数の異なる色相の着色層を重ねて構成されても良い。
また、これら着色領域は色相で述べているが、当該色相は、彩度、明度を適宜変更し、
色を設定し得るものである。
【００４４】
具体的な色相の範囲は、例えば、青系の色相の着色領域は、青紫から青緑であり、より
好ましくは藍から青である。赤系の色相の着色領域は、橙から赤である。青から黄までの
色相で選択される一方の着色領域は、青から緑であり、より好ましくは青緑から緑である
。青から黄までの色相で選択される他方の着色領域は、緑から橙であり、より好ましくは
緑から黄である。もしくは緑から黄緑である。ここで、各着色領域は、同じ色相を用いる
ことはない。例えば、青から黄までの色相で選択される２つの着色領域で緑系の色相を用
いる場合は、他方は一方の緑に対して青系もしくは黄緑系の色相を用いる。
これにより、従来のRGBの着色領域よりも広範囲の色再現性を実現することができる。
【００４５】
次に、４色の着色領域を透過光の波長で表現する。
青系の着色領域は、該領域を透過した光の波長のピークが４１５−５００ｎｍにある着
色領域、好ましくは、４３５−４８５ｎｍにある着色領域である。赤系の着色領域は、該
領域を透過した光の波長のピークが６００ｎｍ以上にある着色領域で、好ましくは、６０
５ｎｍ以上にある着色領域である。青から黄までの色相で選択される一方の着色領域は、
該領域を透過した光の波長のピークが４８５−５３５ｎｍにある着色領域で、好ましくは
、４９５−５２０ｎｍにある着色領域である。青から黄までの色相で選択される他方の着
色領域は、該領域を透過した光の波長のピークが５００−５９０ｎｍにある着色領域、好
ましくは５１０−５８５ｎｍにある着色領域、もしくは５３０−５６５ｎｍにある着色領
域である。
【００４６】
さらに、４色の着色領域を、ｘｙ色度図で示す。
青系の着色領域は、ｘ≦0.151、ｙ≦0.056にある着色領域であり、好ましくは、0.134
≦ｘ≦0.151、0.034≦ｙ≦0.056にある着色領域である。赤系の着色領域は、0.643≦ｘ、
ｙ≦0.333にある着色領域であり、好ましくは、0.643≦ｘ≦0.690、0.299≦ｙ≦0.333に
ある着色領域である。青から黄までの色相で選択される一方の着色領域は、ｘ≦0.164、0
.453≦ｙにある着色領域であり、好ましくは、0.098≦ｘ≦0.164、0.453≦ｙ≦0.759にあ
る着色領域である。青から黄までの色相で選択される他方の着色領域は、0.257≦ｘ、0.6
06≦ｙにある着色領域であり、好ましくは、0.257≦ｘ≦0.357、0.606≦ｙ≦0.670にある
着色領域である。
【００４７】
こうした４色の着色領域の構成の例として、以下のものが挙げられる。
（１）色相が、赤、青、緑、シアン（青緑）の着色領域。
（２）色相が、赤、青、緑、黄の着色領域。
（３）色相が、赤、青、深緑、黄の着色領域。あるいは、赤、青、エメラルド、黄の着
色領域。
（４）色相が、赤、青、深緑、黄緑の着色領域。あるいは、赤、青緑、深緑、黄緑の着
色領域。
【００４８】
第１実施形態に係る液晶表示装置１００に入力される画像信号としては、例えば、ＲＧ
ＢＣの各色の画像信号が外部より直接入力されるとしても良いし、又は、ＲＧＢの各色の
画像信号が外部より入力され、ＲＧＢＣの各色の画像信号に変換されるとしても良い。こ
のとき、Ｗのサブ画素ＳＧにおける液晶層は、常に光を完全に透過する状態にされている
。
【００４９】
次に、液晶表示装置１００において、ＲＧＢの各色の画像信号がＲＧＢＣの各色の画像
信号に変換される場合について述べる。
【００５０】
図６は、第１実施形態に係る液晶表示装置１００の模式図である。液晶表示装置１００
において、入力されたＲＧＢの各色の画像信号がＲＧＢＣの各色の画像信号に変換される
場合、液晶表示装置１００は、表示画像変換回路６１２を備える。表示画像変換回路６１
２は、パーソナルコンピュータなどの外部の表示画像出力源６１１より出力されたＲＧＢ
の各色の画像信号を、ＲＧＢＣの各色の画像信号に変換して、液晶表示パネル３０に出力
する機能を有する。
【００５１】
表示画像変換回路６１２は、ＣＰＵ（Central Processing Unit）などの演算処理部６
１２ａと、ＲＡＭ（Random Access Memory）などの記憶部６１２ｂとを備えて構成されて
いる。演算処理部６１２ａは、表示画像出力源６１１より出力された入力画像のＲＧＢの
各色の画像信号６１Ｒ、６１Ｇ、６１Ｂを、ＲＧＢＣの各色の画像信号６２Ｒ、６２Ｇ、
６２Ｂ、６２Ｃに変換する。記憶部６１２ｂには、所定の強度のＲＧＢの各色の画像信号
と、これに対応する強度のＲＧＢＣの各色の画像信号とを対応させたＬＵＴ（Look Up Ta
ble）が設けられている。例えば、演算処理部６１２ａに、Ｃの色のみを表示させるＲＧ
Ｂの各色の画像信号、例えば、Ｒ＝０、Ｇ＝１００、Ｂ＝１００の強度のＲＧＢの各色の
画像信号が入力された場合、演算処理部６１２ａは、このＲＧＢの各色の画像信号の強度
に対応する強度のＲＧＢＣの各色の画像信号（例えば、Ｒ＝０、Ｇ＝１０、Ｂ＝１０、Ｃ
＝１００）を、記憶部６１２ｂのＬＵＴより取得し、取得したＲＧＢＣの各色の画像信号
を液晶表示パネル３０へ出力する。これにより、液晶表示パネル３０の表示画面に、ＲＧ
Ｂの各色だけでなく、Ｃの色を表示することができる。このようにすることで、入力画像
の画像信号として、ＲＧＢの画像信号が入力された場合においても、出力画像の色再現範
囲をシアン系色の色再現範囲に拡大することができる。
【００５２】
[第２実施形態]
次に、本発明の第２実施形態に係る液晶表示装置１００ａについて述べる。図７は、第
２実施形態に係る液晶表示装置１００ａを示す模式図である。第２実施形態に係る液晶表
示装置１００ａにおける表示画像変換回路６１２は、パーソナルコンピュータなどの表示
画像出力源６１１より出力されたＲＧＢの各色の画像信号をＲＧＢＣの各色の画像信号に
変換するだけでなく、Ｗの画像信号にも変換して、液晶表示パネル３０に出力する機能を
有する。
【００５３】
表示画像出力回路６１２は、第１実施形態で述べたのと同様にして、ＲＧＢの各色の画
像信号をＲＧＢＣの各色の画像信号に変換して、色再現範囲の拡大を図る。このとき、演
算処理部６１２ａは、更に、入力されたＲＧＢの各色の画像信号より、輝度信号を算出し
、当該輝度信号を基に決定されたＷの色の画像信号を液晶表示パネル３０へ出力する。以
下に示す式（１）は、ＲＧＢの各色の強度より、輝度信号Ｙと色差信号Ｉ、Ｑを算出する
一般的な式である。式（１）では、ＲＧＢの各色の強度を夫々、Ｒａ、Ｇａ、Ｂａとして
いる。具体的には、演算処理部６１２ａは、入力されたＲＧＢの各色の画像信号より、Ｒ
ＧＢの各色の強度を検出した後、検出されたＲＧＢの各色の強度より、式（１）の輝度信
号Ｙを求める式を用いて、輝度信号Ｙを算出する。
【００５４】
【数１】
2007102140.tif 000003
演算処理部６１２ａは、算出された輝度信号Ｙを基に、Ｗの画像信号を決定し、決定さ
れたＷの画像信号を液晶表示パネル３０へ出力する。このようにすることで、Ｗのサブ画
素ＳＧにおける液晶層の階調を入力画像に合わせて調整することができ、出力画像を入力
画像に合わせた適切な輝度で表示することができる。
【００５５】
第２実施形態に係る液晶表示装置１００ａは、上述したように、輝度信号Ｙを基に、Ｗ
のサブ画素ＳＧにおける液晶層の階調を調整することができるので、出力画像を、入力画
像に合わせた適切な輝度で表示することができる。従って、Ｗのサブ画素ＳＧにおける液
晶層を、常に光が透過する状態にするよりも、出力画像の色純度の向上を図ることができ
る。
【００５６】
[第３実施形態]
次に、本発明の第３実施形態に係る液晶表示装置１００ｂについて述べる。図８は、第
３実施形態に係る液晶表示装置１００ｂの模式図である。第３実施形態に係る液晶表示装
置１００ｂと、第１実施形態に係る液晶表示装置１００との異なる点は、表示画像変換回
路６１２が、照明装置１０に対し、制御信号６２ＢＬを供給する点である。具体的には、
表示画像変換回路６１２は、制御信号６２ＢＬを照明装置１０のＬＥＤ１３に供給するこ
とにより、照明装置１０の光源部１２より出光される光Ｌの輝度を調整する。
【００５７】
表示画像変換回路６１２の演算処理部６１２ａは、先の式（１）より求められた輝度信
号Ｙを基に、制御信号６２ＢＬを決定する。例えば、輝度信号Ｙを基に、１つの表示画像
において、高い輝度を有する表示画素の割合が多いと判断した場合には、光Ｌの輝度を高
める調整を行う一方、１つの表示画像において、低い輝度を有する表示画素の割合が多い
と判断した場合には、光Ｌの輝度を低くする調整を行う。このとき、Ｗのサブ画素ＳＧは
、その液晶層を完全透過の状態としても良いし、又は、第２実施形態に係る液晶表示装置
１００ａで述べたように、輝度信号Ｙを基に階調を変えることとしても良い。
【００５８】
第３実施形態に係る液晶表示装置では、入力される画像信号に対応して照明装置１０よ
り出光される光Ｌの輝度を調整することで、明るい画像はより明るく、暗い画像はより暗
く表示することができ、表示画面のコントラストを向上させることができる。
【００５９】
[変形例]
次に、各実施形態に係る液晶表示装置１００〜１００ｂの変形例について述べる。本変
形例は、具体的には、表示画素ＡＧにおけるサブ画素ＳＧの配列構成の変形例である。
【００６０】
図９（ａ）〜（ｄ）は、表示画素ＡＧにおけるサブ画素ＳＧの配列構成の変形例を示す
平面図である。夫々ハッチングされた領域が、夫々の色のサブ画素ＳＧの領域を示してい
る。図９（ａ）は上述したサブ画素ＳＧの配列構成を示している。１つの表示画素ＡＧに
おけるサブ画素ＳＧの配列構成としては、図９（ａ）に示す配列構成に限られるものでは
なく、代わりに図９（ｂ）〜（ｄ）に示す配列構成とすることもできる。
【００６１】
図９（ｂ）に示す配列構成では、図に示すように、Ｗのサブ画素ＳＧは、Ｌ字型の形状
をなしており、ＲＧＢＣの各色のサブ画素ＳＧに接する構成となる。従って、このような
配列構成を採った場合、観測者は、ＲＧＢＣの各色の輝度が等しく向上して見える。また
、図９（ａ）〜（ｂ）に示す配列構成では、ＲＧＢＣＷの各色のサブ画素ＳＧがストライ
プ状に配列されているので、ゲート線３３やソース線３２といったサブ画素ＳＧの表示状
態を制御する液晶表示パネル３０の配線構成を簡単にすることができる。
【００６２】
図９（ｃ）に示す配列構成では、ＲＧＢＣの各色のサブ画素ＳＧを田の字型に配列し、
その中心にＷのサブ画素を配列する構成となる。このような配列構成を採った場合、Ｗの
サブ画素が配置されている表示画素ＡＧの中心部が明るくなるので、観測者から見て表示
画素ＡＧそのものの輝度が向上して見える。図９（ｄ）に示すデルタ配列の配列構成とし
ても同様の効果が得られる。
【００６３】
さらに、図９（ａ）〜（ｄ）において、Ｗのサブ画素ＳＧの面積は、他の色、即ちＲＧ
ＢＣの各色のサブ画素の面積と異ならせても良い。なぜならば、Ｗのサブ画素は、表示画
素ＡＧの輝度を向上させるためのものに過ぎないからである。また、図９（ａ）〜（ｄ）
において、Ｃのサブ画素の面積をＲやＢのサブ画素の面積より小さくしてもよい。これに
よれば、緑が強くなるのを抑えることができる。
なお、以上の実施形態において、液晶表示パネルを用いた場合で説明したがこれに限る
ものでなく、表示パネルを有する各種の電気光学装置に適用することができる。例えば、
エレクトロルミネッセンス装置、有機エレクトロルミネッセンス装置、プラズマディスプ
レイ装置、電気泳動ディスプレイ装置、電子放出素子を用いた装置（Field Emission Dis
play 及び Surface-Conduction Electron-Emitter Display 等）等を挙げることができる
。
【００６４】
[電子機器]
次に、上述した各実施形態に係る液晶表示装置１００〜１００ｂを適用可能な電子機器
の具体例について図１０を参照して説明する。
【００６５】
まず、各実施形態に係る液晶表示装置１００〜１００ｂを、可搬型のパーソナルコンピ
ュータ（いわゆるノート型パソコン）の表示部に適用した例について説明する。図１０（
ａ）は、このパーソナルコンピュータの構成を示す斜視図である。同図に示すように、パ
ーソナルコンピュータ７１０は、キーボード７１１を備えた本体部７１２と、本発明に係
る液晶表示装置１００〜１００ｂを適用した表示部７１３とを備えている。
【００６６】
続いて、各実施形態に係る液晶表示装置１００〜１００ｂを、携帯電話機の表示部に適
用した例について説明する。図１０（ｂ）は、この携帯電話機の構成を示す斜視図である
。同図に示すように、携帯電話機７２０は、複数の操作ボタン７２１のほか、受話口７２
２、送話口７２３とともに、本発明に係る液晶表示装置１００〜１００ｂを適用した表示
部７２４を備える。
【００６７】
なお、各実施形態に係る液晶表示装置１００〜１００ｂを適用可能な電子機器としては
、図１０（ａ）に示したパーソナルコンピュータや図１０（ｂ）に示した携帯電話機の他
にも、液晶テレビ、ビューファインダ型・モニタ直視型のビデオテープレコーダ、カーナ
ビゲーション装置、ページャ、電子手帳、電卓、ワードプロセッサ、ワークステーション
、テレビ電話、ＰＯＳ端末、ディジタルスチルカメラなどが挙げられる。
【図面の簡単な説明】
【００６８】
【図１】第１実施形態に係る液晶表示装置の平面図である。
【図２】第１実施形態に係る液晶表示装置の断面図である。
【図３】第１実施形態に係る液晶表示装置のサブ画素の平面図である。
【図４】第１実施形態に係る液晶表示装置のスペクトル分布を示す図である。
【図５】色度範囲を示す国際照明委員会（ＣＩＥ）のｘｙ色度図である。
【図６】第１実施形態に係る液晶表示装置の模式図である。
【図７】第２実施形態に係る液晶表示装置の模式図である。
【図８】第３実施形態に係る液晶表示装置の模式図である。
【図９】各実施形態の液晶表示装置の変形例を示すサブ画素の平面図である。
【図１０】各実施形態の液晶表示装置を適用した電子機器の例を示す図である。
【符号の説明】
【００６９】
１１…導光板、１２…光源部、１３…ＬＥＤ、１０…照明装置、３０…液晶表示パネル
、１００…液晶表示装置。
【図１】
2007102140.tif 000004
【図２】
2007102140.tif 000005
【図３】
2007102140.tif 000006
【図４】
2007102140.tif 000007
【図５】
2007102140.tif 000008
【図６】
2007102140.tif 000009
【図７】
2007102140.tif 000010
【図８】
2007102140.tif 000011
【図９】
2007102140.tif 000012
【図１０】
2007102140.tif 000013
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
複数のサブ画素からなる表示画素を含んでなる液晶パネルと、前記液晶パネルを照明する照明装置と、を有する電気光学装置であり、
前記複数のサブ画素は、少なくともシアン及び白色の２つのサブ画素を含んでなることを特徴とする電気光学装置。
【請求項２】
請求項１に記載の電気光学装置において、赤、青及び緑のサブ画素を更に含んでなることを特徴とする電気光学装置。
【請求項３】
複数のサブ画素からなる表示画素を含んでなる液晶パネルと、前記液晶パネルを照明する照明装置と、を有する電気光学装置であり、
前記複数のサブ画素のうち少なくとも２つのサブ画素は、青から黄までの色相から選択される色相の着色領域を有し、前記複数のサブ画素のうち少なくとも１つのサブ画素は、光を無着色で透過させる領域を有することを特徴とする電気光学装置。
【請求項４】
請求項３に記載の電気光学装置において、前記複数のサブ画素は、青系の色相の着色領域を有するサブ画素、及び赤系の色相の着色領域を有するサブ画素、を更に有することを特徴とする電気光学装置。
【請求項５】
前記２つのサブ画素のうち、一方のサブ画素は、青から緑の間の色相の着色領域を有し、他方のサブ画素は、緑から橙の間の色相の着色領域を有することを特徴とする請求項３に記載の電気光学装置。
【請求項６】
複数のサブ画素からなる表示画素を含んでなる液晶パネルと、前記液晶パネルを照明する照明装置と、を有する電気光学装置であり、
前記複数のサブ画素は、透過光の波長ピークが４８５〜５３５ｎｍの範囲にある着色領域を有するサブ画素、透過光の波長ピークが５００〜５９０ｎｍの範囲にある着色領域を有するサブ画素、及び光を無着色で透過させる領域を有するサブ画素を含んでなることを特徴とする電気光学装置。
【請求項７】
請求項６に記載の電気光学装置において、前記複数のサブ画素は、透過光の波長ピークが４１５〜５００ｎｍの範囲にある着色領域を有するサブ画素、及び透過光の波長ピークが６００ｎｍ以上にある着色領域を有するサブ画素、を更に含んでなることを特徴とする電気光学装置
【請求項８】
入力される画像信号を、前記複数のサブ画素に対応する画像信号に変換する表示画像変換回路を更に備えることを特徴とする請求項６に記載の電気光学装置。
【請求項９】
前記表示画像変換回路は、前記入力される画像信号より輝度信号を算出し、前記輝度信号を基に前記光を無着色で透過させる領域を有するサブ画素に対応する画像信号を決定することを特徴とする請求項８に記載の電気光学装置。
【請求項１０】
前記表示画像変換回路は、前記輝度信号を基に前記照明装置の輝度を決定して、前記照明装置の輝度を調整することを特徴とする請求項８又は９に記載の電気光学装置。
【請求項１１】
請求項６に記載の電気光学装置を表示部に備えることを特徴とする電子機器。
【手続補正２】
【補正対象書類名】明細書
【補正対象項目名】０００７
【補正方法】変更
【補正の内容】
【０００７】
本発明の一の観点では、電気光学装置は、複数のサブ画素からなる表示画素を含んでなる液晶パネルと、前記液晶パネルを照明する照明装置と、を有し、複数のサブ画素は、少なくともシアン（Ｃ）及び白色(Ｗ)の２つのサブ画素を含んでなる。また、赤（Ｒ）、青（Ｂ）及び緑（Ｇ）のサブ画素を更に有する。
【手続補正３】
【補正対象書類名】明細書
【補正対象項目名】０００８
【補正方法】変更
【補正の内容】
【０００８】
また、他の観点では、複数のサブ画素からなる表示画素を含んでなる液晶パネルと、前記液晶パネルを照明する照明装置と、を有し、複数のサブ画素のうち少なくとも２つのサブ画素は、青から黄までの色相から選択される色相の着色領域を有し、複数のサブ画素のうち少なくとも１つのサブ画素は、光を無着色で透過させる領域を有する。また、複数のサブ画素は、青系の色相の着色領域を有するサブ画素、及び赤系の色相の着色領域を有するサブ画素、を更に有する。
【手続補正４】
【補正対象書類名】明細書
【補正対象項目名】０００９
【補正方法】変更
【補正の内容】
【０００９】
上記の電気光学装置の一態様においては、２つのサブ画素のうち、一方のサブ画素は、青から緑の間の色相の着色領域を有し、他方のサブ画素は、緑から橙の間の色相の着色領域を有する。
【手続補正５】
【補正対象書類名】明細書
【補正対象項目名】００１０
【補正方法】変更
【補正の内容】
【００１０】
本発明のさらなる他の観点では、複数のサブ画素からなる表示画素を含んでなる液晶パネルと、液晶パネルを照明する照明装置と、を有し、複数のサブ画素は、透過光の波長ピークが４８５〜５３５ｎｍの範囲にある着色領域を有するサブ画素、透過光の波長ピークが５００〜５９０ｎｍの範囲にある着色領域を有するサブ画素、及び光を無着色で透過させる領域を有するサブ画素を含んでなる。また、複数のサブ画素は、透過光の波長ピークが４１５〜５００ｎｍの範囲にある着色領域を有するサブ画素、及び透過光の波長ピークが６００ｎｍ以上にある着色領域を有するサブ画素を更に有する。
【手続補正６】
【補正対象書類名】明細書
【補正対象項目名】００１１
【補正方法】変更
【補正の内容】
【００１１】
上記の電気光学装置の一態様においては、透過光の波長ピークが４８５〜５３５ｎｍの範囲にある着色領域の透過光の波長のピークは、４９５〜５２０ｎｍの範囲であり、透過光の波長ピークが５００〜５９０ｎｍの範囲にある着色領域の透過光の波長のピークが５１０〜５８５ｎｍの範囲にある。
【手続補正７】
【補正対象書類名】明細書
【補正対象項目名】００１４
【補正方法】変更
【補正の内容】
【００１４】
上記の電気光学装置の一態様は、入力されるＲＧＢの画像信号を、複数のサブ画素に対応するＲＧＢＣの画像信号に変換する表示画像変換回路を更に備える。このようにすることで、入力画像の画像信号として、ＲＧＢの画像信号が入力された場合においても、出力画像の色再現範囲をシアン系色の色再現範囲に拡大することができる。具体的には、表示画像変換回路は、入力されたＲＧＢの画像信号に対応するＲＧＢＣの画像信号を、ＬＵＴ（Look Up Table）より求め、液晶パネルへ出力する。このようにすることで、出力画像の色純度の向上を図ることができる。
【手続補正８】
【補正対象書類名】明細書
【補正対象項目名】００１５
【補正方法】変更
【補正の内容】
【００１５】
上記の電気光学装置の他の一態様は、前記表示画像変換回路は、表示画像変換回路は、入力されるＲＧＢの画像信号より輝度信号を算出し、輝度信号を基に光を無着色で透過させる領域（Ｗ）を有するサブ画素に対応する画像信号を決定し、液晶パネルへ出力する。